(57)【要約】      （修正有）【課題】心臓血管の拍動周波数を検出し、相対する刺激周波数の電流を発生する電気治療器を提供する。【解決手段】電気治療器構成は検出モジュール２１と、処理モジュール２２と、作動モジュール２３と、を含み、前記検出モジュールは該心臓血管拍動周波数を検出し、かつ心臓血管の拍動周波数信号を発生し、前記処理モジュールは該検出モジュールが発生した周波数信号を受信し、該周波数信号について対応する処理信号を発生し、前記作動モジュールは該処理モジュールが発生した処理信号を受信し、対応する周波数刺激電流を発生する。それによって刺激信号の周波数を調整し、痛み治療およびリハビリテーション効果を向上させる目的を実現する。【選択図】図２
2017070481.tif 000002
【特許請求の範囲】
【請求項１】
改良される電気治療器の構成であって、それは心臓血管の拍動周波数を検出し、対応する刺激周波数の電流を発生する電気治療器構成であり、
その電気治療器構成は、検出モジュールと、処理モジュールと、作動モジュールと、を含み、
前記検出モジュールは該心臓血管の拍動周波数を検出し、かつ心臓血管拍動の周波数信号を発生することに用いられ、
前記処理モジュールは、該検出モジュールが発生した周波数信号を受信し、該周波数信号について対応する処理信号を発生し、
前記作動モジュールは、該処理モジュールが発生した処理信号を受信し、対応する周波数の刺激電流を発生し、該刺激電流により刺激信号の周波数を調整し、痛み治療およびリハビリテーション効果を向上する目的を実現する、改良される電気治療器の構成。
【請求項２】
該検出モジュールは１つの心電図（ＥＫＧ）および複数のテストユニットを含む請求項１に記載の改良される電気治療器の構成。
【請求項３】
該複数のテストユニットは体の各箇所に付着することができる請求項２に記載の改良される電気治療器の構成。
【請求項４】
該処理モジュールはローパスフィルタリングユニットと、アナログ/ディジタル変換ユニットと、心電周期トリガ計算ユニットと、信号絶縁ユニットと、波形調整ユニットと、を具備する請求項１に記載の改良される電気治療器の構成。
【請求項５】
該作動モジュールは電気刺激ユニットおよび複数の電極シートを含む請求項１に記載の改良される電気治療器の構成。
【請求項６】
心臓血管の周波数を検出し、相対する刺激周波数の電流を発生する電気治療器の制御方法であって、その電気治療器の制御は、
検出モジュールを提供し、該検出モジュールを利用して該心臓血管の周波数が得られ、心臓血管脈拍の周波数信号を発生するステップと、
処理モジュールを提供し、該処理モジュールを介して該周波数信号を受信し、該周波数信号について対応する処理信号を発生するステップ、
作動モジュールを提供し、該処理信号を受信し、対応する周波数の刺激電流を発生し、該刺激電流により刺激信号の周波数を調整し、痛み治療およびリハビリテーション効果を向上する目的を実現するステップと、を含む電気治療器の制御方法。
【請求項７】
該検出モジュールは心電図（ＥＫＧ）である請求項６に記載の電気治療器の制御方法。
【請求項８】
該複数のテストユニットは体およびアームに付着することができる請求項７に記載の電気治療器の制御方法。
【請求項９】
該処理モジュールはローパスフィルタリングユニットと、アナログ/ディジタル変換ユニットと、心電周期トリガ計算ユニットと、信号絶縁ユニットと、を含む請求項６に記載の電気治療器の制御方法。
【請求項１０】
該作動モジュールは電気刺激ユニットおよび複数の電極シートを含む請求項６に記載の電気治療器の制御方法。
【発明の詳細な説明】
【技術分野】
【０００１】
本発明は電気治療器構成に関し、具体的には、心臓血管の拍動周波数を検出し、対応する刺激周波数信号を発生する改良される電気治療器の構成およびその制御方法に関する。
【背景技術】
【０００２】
伝統な中国医学理論によれば、人体を鍼刺激することで、痛みおよびリハビリテーションに対して一定の治療効果を有するものの、鍼治療を行う上に、鍼を利用して痛み位置に対して侵襲的治療を行う必要があり、鍼治療に使用される鍼および個人体質の差異に対して、鍼治療に対する拒絶反応を引き起こしてしまい、そのために現在の伝統な中国医学治療において、従来用いられた治療方法の代わりに、電流刺激方式を採用する。
【０００３】
市場では一般的な電気治療器は、いずれも固定周波数を有するものであり、固定周波数の刺激信号を介して、体の痛みおよびリハビリテーション治療を行うが、体が異なる場合は、必要である刺激信号の周波数が異なり、そのため、固定周波数の電気治療器を使用すると、痛みおよびリハビリテーションを治療する上に、効果が悪い。図１は台湾特許第Ｍ４２８７６９号である周波数調整可能な電気治療器回路ブロックを模式的に示す図である。図に示すように、該電気治療器１は発振器１１と、可変抵抗器１２と、トランジスタ１３と、コイル変圧器１４を具備し、該発振器１１を介して該電気治療器１が発生した周波数を調整し、トランジスタ１３を利用して該電流を増幅させ、該コイル変圧器１４を介して該電圧値を増幅させ、それにより異なる刺激信号の周波数を発生する。しかしながら、該電気治療器の設置方法は、使用者が感覚によって刺激周波数を調整し、かつ異なる使用者が耐えられた刺激信号の大きさも異なるため、使用する周波数が高すぎることがなりがち、痛み箇所が大きすぎた刺激を受けて相対に損傷され、或いは使用する周波数が低すぎるので治療およびリハビリテーションを達することができないため、痛み及びリハビリテーション治療の効果が制限された。
【発明の概要】
【発明が解決しようとする課題】
【０００４】
上記既知の技術の欠陥を鑑みて、本発明の主な目的は改良される電気治療器の構成およびその制御方法を提供し、心臓血管の拍動周波数を検出し、対応する刺激周波数信号を発生することで、刺激信号の周波数を調整する目的を実現することにある。
【０００５】
本発明の別の目的は、改良される電気治療器の構成およびその制御方法を提供し、心臓血管の拍動周波数を利用し、相対的な刺激信号周波数を発生することで、痛み治療およびリハビリテーションの目的を実現することにある。
【課題を解決するための手段】
【０００６】
前記目的を実現するために、本発明は、改良される電気治療器の構成を提供し、それは心臓血管の拍動周波数を検出し、相対的な刺激周波数電流を発生する電気治療器構成であって、その電気治療器構成は検出モジュールと、処理モジュールと、作動モジュールと、を含み、前記検出モジュールは該心臓血管の拍動周波数を検出し、かつ心臓血管の拍動周波数信号を発生することに用いられ、前記処理モジュールは該検出モジュールが発生した周波数信号を受信し、該周波数信号について対応する処理信号を発生し、前記作動モジュールは該処理モジュールが発生した処理信号を受信し、対応する周波数の刺激電流を発生する。それによって刺激信号の周波数を調整し、痛み治療およびリハビリテーション効果を向上する目的を実現する。
【図面の簡単な説明】
【０００７】
【図１】中国特許第Ｍ４２８７６９号である周波数調整可能な電気治療器回路ブロックを模式的に示す図である。
【図２】本発明の改良される電気治療器の構成された構成を模式的に示す図である。
【図３】本発明の処理モジュールの構成ユニットを模式的に示す図である。
【図４】本発明の作動モジュールを模式的に示す図である。
【図５】本発明の電気治療器の制御方法のプローを模式的に示す図である。
【発明を実施するための形態】
【０００８】
以下、特定の具体的な実施例により本発明の実施形態を説明し、当業者は本説明書に開示した内容により本発明のそのほかのメリットと効果を了解することができる。
【０００９】
図２は本発明の改良される電気治療器の構成された構成を模式的に示す図である。図に示すように、該構成は心臓血管の拍動周波数を検出し、相対的な刺激周波数電流を発生する電気治療器２の構成であり、その電気治療器２構成は検出モジュール２１と、処理モジュール２２と、作動モジュール２３と、を含み、前記検出モジュール２１は心臓血管の拍動周波数を検出し、かつ心臓血管の拍動周波数信号を発生し、前記処理モジュール２２は該周波数信号を受信し、かつ対応する処理信号を発生し、前記作動モジュール２３は該処理信号を受信して対応する周波数の刺激電流を発生する。さらに、該検出モジュール２１は１つの心電図２１１（ＥＫＧ）おようび複数のテストユニット２１２を含み、かつ各該テストユニット２１２は体の各箇所に付着することができ、刺激周波数を調整するのに必要である０乃至３.３Ｖの心臓血管の拍動信号が得られ、図３は本発明の処理モジュールの構成ユニットを模式的に示す図である。図に示すように、該処理モジュール２２はローパスフィルタリングユニット（Low-pass filtering unit）２２１と、アナログ/ディジタル変換ユニット２２２と、心電周期トリガ計算ユニット２２３と、信号絶縁ユニット２２４と、正弦波発生ユニット２２５と、を有し、該検出モジュール２１が体の心臓血管の拍動を検出する時に、得られた心臓拍動信号を処理モジュール２２まで伝達し、該処理モジュール２２が該ローパスフィルタリングユニット２２１を利用して該脈拍信号のノイズを低下させ、さらに該アナログ/ディジタル変換ユニット２２２を利用し、本来のアナログ信号である脈拍信号をディジタル心電信号に変換し、該ディジタル心電信号を該心電周期トリガ計算ユニット２２３まで伝達し、該心電周期トリガ計算ユニット２２３により該当した時間条件の時点にてトリガ信号を発生し、かつ該トリガ信号を信号絶縁ユニット２２４まで伝達し、該信号絶縁ユニット２２４により異なる電源絶縁を介して波形調整ユニット２２５まで伝送し、さらに電圧強度制御装置（図示せず）と協力して刺激電圧強度を調整し、該波形調整ユニット２２５により電気刺激の波形信号を発生し、図４は本発明の作動モジュールを模式的に示す図である。図に示すように、該作動モジュール２３は電気刺激ユニット２３１および複数の電極シート（Electrode sheet）２３２を含み、該波形調整ユニット２２５が発生した波形信号を受信し、該電気刺激ユニット２３１により対応する電気刺激を発生し、従って刺激信号周波数を調整し、痛み治療およびリハビリテーション効果を向上する目的を実現する。
【００１０】
図５は本発明の電気治療器の制御方法のプローを模式的に示す図である。以下のステップを含む。
【００１１】
検出モジュールを提供し、該検出モジュールを利用して該心臓血管の周波数が得られ、かつ心臓血管拍動の周波数信号Ｓ１を発生する。
【００１２】
処理モジュールを提供し、該処理モジュールを介して該周波数信号を受信し、該周波数信号について対応する処理信号Ｓ２を発生する。
【００１３】
作動モジュールを提供し、該処理信号を受信し、対応する周波数の刺激電流Ｓ３を発生し、該刺激電流により刺激信号周波数を調整し、痛み治療およびリハビリテーション効果を向上する目的を実現する。
【００１４】
上述の具体的実施例は本発明の特徴および効果を説明するための実施例のみであり、本発明の実質的な技術内容の範囲を限定するつもりではない。本発明における当業者は、本発明の趣旨から離れない限り、上述の具体的実施例に対する各種の修正、変化または類似な手段を用いて代替することができ、かつ本願の請求範囲を超えない。
【符号の説明】
【００１５】
１、２ 電気治療器 １１ 発振器
１２ 可変抵抗器 １３ トランジスタ
１４ コイル変圧器 ２１ 検出モジュール
２２ 処理モジュール ２３ 作動モジュール
２１１ 心電図 ２１２ テストユニット
２２１ ローパスフィルタリングユニット ２２２ アナログ/ディジタル変換ユニット
２２３ 心電周期トリガ計算ユニット ２２４ 信号絶縁ユニット
２２５ 波形調整ユニット ２３１ 電気刺激ユニット
２３２ 電極シート  
Ｓ１〜Ｓ３ 電気治療器の制御方法プロー
【図１】
2017070481.tif 000003
【図２】
2017070481.tif 000004
【図３】
2017070481.tif 000005
【図４】
2017070481.tif 000006
【図５】
2017070481.tif 000007